(57)【要約】  所定通信方式に対応する携帯端末と通信する車載機は、車載機への操作を検出する検出手段と、検出手段が検出した車載機への操作に応じて該操作に対応し所定通信方式に準拠した操作情報を生成する生成手段と、操作情報を所定通信方式で携帯端末に送信する通信手段と、を含む。
2014034193.tif 000002
【特許請求の範囲】
【請求項１】
所定通信方式に対応する携帯端末と通信する車載機であって、
前記車載機への操作を検出する検出手段と、
前記検出手段が検出した車載機への操作に応じて、当該操作に対応し前記所定通信方式に準拠した操作情報を生成する生成手段と、
前記操作情報を前記所定通信方式で前記携帯端末に送信する通信手段と、を含む車載機。
【請求項２】
前記所定通信方式は、BluetoothのHIDプロファイルにて定められた通信方式、または、USBマウスに対応する通信方式である、請求項１に記載の車載機。
【請求項３】
前記検出手段は、前記車載機への操作として、タッチ操作を検出するタッチパネルである、請求項１または２に記載の車載機。
【請求項４】
前記タッチパネルの背面側に設けられた表示手段をさらに含み、
前記通信手段は、前記携帯端末から前記携帯端末の表示画面を表す画面情報を受信し、
前記表示手段は、前記画面情報に応じて前記携帯端末の表示画面を表示し、
前記生成手段は、前記画面情報にて規定される前記携帯端末の表示画面のサイズと、前記表示手段内の前記携帯端末の表示画面の位置と、を表す位置特定情報を生成し、前記タッチパネルにて検出されたタッチ操作に応じて、前記位置特定情報を用いて、前記タッチパネル上での前記タッチ操作の位置を、前記携帯端末の表示画面上の操作位置に変換し、当該携帯端末の表示画面上の操作位置に基づいて前記操作情報を生成する、請求項１から３のいずれか１項に記載の車載機。
【請求項５】
前記生成手段は、前記携帯端末の表示画面上の操作位置に基づいて、前記携帯端末の表示画面上に設定された基準位置から前記携帯端末の表示画面上の操作位置への移動量を表す移動量情報と、クリック操作を表すクリック情報と、を前記操作情報として生成する、  請求項４に記載の車載機。
【請求項６】
前記生成手段は、前記タッチパネルが前記タッチ操作の終了を検出すると、前記携帯端末の表示画面上の操作位置から前記基準位置への移動量を表す移動量情報と、リリース操作を表すリリース情報と、を前記操作情報として生成する、請求項５に記載の車載機。
【請求項７】
前記生成手段は、前記タッチパネル上での前記タッチ操作の終了位置に応じて、前記基準位置を変更する、請求項６に記載の車載機。
【請求項８】
前記生成手段は、前記タッチパネルが前記タッチ操作の検出後に当該タッチ操作が継続された状況での当該タッチ操作の位置の移動を検出すると、前記位置特定情報を用いて、前記移動後の前記タッチ操作の位置を前記携帯端末の表示画面上の移動位置に変換し、前記携帯端末の表示画面上の操作位置から前記携帯端末の表示画面上の移動位置への移動量を表す移動量情報を、前記操作情報として生成する、請求項４から７のいずれか１項に記載の車載機。
【請求項９】
所定通信方式に対応する携帯端末と通信する車載機が行う携帯端末制御方法であって、
前記車載機への操作を検出し、
前記検出した操作に応じて、当該操作に対応し前記所定通信方式に準拠した操作情報を生成し、
前記操作情報を前記所定通信方式で前記携帯端末に送信する、携帯端末制御方法。
【請求項１０】
所定通信方式に対応する携帯端末と通信するコンピュータに、
前記車載機への操作を検出する検出手順と、
前記検出した操作に応じて、当該操作に対応し前記所定通信方式に準拠した操作情報を生成する生成手順と、
前記操作情報を前記所定通信方式で前記携帯端末に送信する通信手順と、を実行させるためのプログラムを記録したコンピュータ読み取り可能な記録媒体。
【発明の詳細な説明】
【技術分野】
【０００１】
本発明は、車載機、携帯端末制御方法およびプログラムに関し、例えば、スマートフォン等の携帯端末を制御する車載機、携帯端末制御方法およびプログラムに関する。
【背景技術】
【０００２】
近年、通信技術の進歩によって情報端末は多機能化し、スマートフォンやタブレット端末などの持ち運び可能な携帯型情報端末が登場している。携帯型情報端末においては、電子メールの送受信だけでなく、インターネットに接続したウェブサーバからＨＴＭＬ、ＸＭＬなどのマークアップ言語で記述された文書ファイルを取得し、ウェブページを閲覧するブラウザ機能を標準的に有する。このような携帯型情報端末では、ボタン入力に加えて、画面上を指でタッチ等することで入力操作できるタッチパネル手段を備えるものが主流である。【０００３】
自動車に搭載されるカーナビゲーションシステム（以下、単に「カーナビ」とも称する）などの車載情報端末においても、従来のルート検索機能やテレビ観賞機能に加えて、インターネット通信を利用した電子メールの送受信、ホームページの閲覧、電子商取引など様々な情報の収集を可能にするものが発売されている。【０００４】
ところで、自動車を所有するユーザの多くは、自動車に搭載される車載情報端末とともに、無線通信によってデータ送受信する機能を有する携帯型情報端末を保有している。車載情報端末においてインターネット通信を利用するためには、インターネットアクセスや最新情報入手、電子メール等の機能を加えるために通信機能が必要となるが、ユーザがカーナビなどの車載情報端末専用に通信費用を支払うことは高コストになるため難しい。従って、多くのユーザは所有している携帯型情報端末と車載情報端末を無線ＬＡＮ、  Ｂｌｕｅｔｏｏｔｈ（登録商標）、有線ケーブル等のインターフェイスを介して接続し、携帯型情報端末の通信機能を用いて、車載情報端末に通信機能を提供する方法を取りつつある。【０００５】
特許文献１には、スマートフォンと通信するカーナビゲーション装置が記載されている。【０００６】
また、カーナビゲーション装置のような車載機でスマートフォンを操作することを可能にする技術も知られている。【０００７】
この技術では、スマートフォンに対して、車載機による遠隔操作を可能にするための設定変更が行われ、遠隔操作用の仕組み（具体的には、車載機による遠隔操作用の専用のアプリケーションプログラム）が入れ込まれる。【０００８】
なお、この設定変更や遠隔操作用の仕組みの入れ込みは、通常禁止されているスマートフォンに対する遠隔操作を許容するための操作であり、管理者権限を有する者でないと行えない特殊な作業である。
【先行技術文献】
【特許文献】
【０００９】
【特許文献１】特開２０１２−１４１２０１号公報
【発明の概要】
【発明が解決しようとする課題】
【００１０】
車載機で携帯端末の操作を可能にする技術では、車載機による遠隔操作用の専用のアプリケーションプログラムが必要となり、車載機による遠隔操作用の専用のアプリケーションプログラムを携帯端末にインストールしなければならないという課題があった。また、携帯端末は、車載機による遠隔操作用の専用のアプリケーションプログラムを動作させて車載機からの情報を解析する必要があるため、操作情報に対する追従性つまり操作性が良くなかった。【００１１】
本発明の目的は、上記課題を解決可能な車載機、携帯端末制御方法およびプログラムを提供することである。
【課題を解決するための手段】
【００１２】
本発明の車載機は、
所定通信方式に対応する携帯端末と通信する車載機であって、
前記車載機への操作を検出する検出手段と、
前記検出手段が検出した車載機への操作に応じて、当該操作に対応し前記所定通信方式に準拠した操作情報を生成する生成手段と、
前記操作情報を前記所定通信方式で前記携帯端末に送信する通信手段と、を含む。【００１３】
本発明の携帯端末制御方法は、
所定通信方式に対応する携帯端末と通信する車載機が行う携帯端末制御方法であって、
前記車載機への操作を検出する検出し、
前記車載機への操作に応じて、当該操作に対応し前記所定通信方式に準拠した操作情報を生成し、
前記操作情報を前記所定通信方式で前記携帯端末に送信する。【００１４】
本発明の記録媒体は、
所定通信方式に対応する携帯端末と通信するコンピュータに、
前記車載機への操作を検出する検出手順と、
前記車載機への操作に応じて、当該操作に対応し前記所定通信方式に準拠した操作情報を生成する生成手順と、
前記操作情報を前記所定通信方式で前記携帯端末に送信する通信手順と、を実行させるプログラムを記録したコンピュータ読み取り可能な記録媒体である。
【発明の効果】
【００１５】
本発明によれば、車載機による遠隔操作用の専用のアプリケーションプログラムを必要とせずに、車載機で携帯端末を操作することが可能となり、また、操作性の向上を図ることが可能になる。
【図面の簡単な説明】
【００１６】
【図１】本発明の第１実施形態の車載機１とスマートフォン２とを示したブロック図である。
【図２】車載機１とスマートフォン２の外観図である。
【図３】車両内に車載機１とスマートフォン２とが配置された例を示した図である。
【図４】車載機１とスマートフォン２との接続時の動作を説明するためのシーケンス図である。
【図５】車載機１の画面とスマートフォン２の画面とを示した図である。
【図６】車載機１の画面とスマートフォン２の画面とを示した図である。
【図７】車載機１の画面とスマートフォン２の画面とを示した図である。
【図８】車載機１の画面とスマートフォン２の画面とを示した図である。
【図９】タッチパネル１４へのタッチ操作が行われたときの動作を説明するためのシーケンス図である。
【図１０】車載機１の画面とスマートフォン２の画面とを示した図である。
【図１１】車載機１の画面とスマートフォン２の画面とを示した図である。
【図１２】車載機１の画面とスマートフォン２の画面とを示した図である。
【図１３】車載機１の画面とスマートフォン２の画面とを示した図である。
【図１４】車載機１の画面とスマートフォン２の画面とを示した図である。
【図１５】タッチパネル１４へのドラッグ操作、フリック操作が行われたときの動作を説明するためのシーケンス図である。
【図１６】車載機１の画面とスマートフォン２の画面とを示した図である。
【図１７】車載機１の画面とスマートフォン２の画面とを示した図である。
【図１８】車載機１の画面とスマートフォン２の画面とを示した図である。
【図１９】車載機１の画面とスマートフォン２の画面とを示した図である。
【図２０】本発明の第２実施形態の車載機１０Ａとスマートフォン２とを示したブロック図である。
【図２１】タッチパネル１４の分割領域を示した図である。
【図２２】本発明の第３実施形態の車載機１０Ｂとスマートフォン２Ｂとを示したブロック図である。
【発明を実施するための形態】
【００１７】
以下、本発明の実施形態について図面を参照して説明する。
【００１８】
（第１実施形態）
図１は、本発明の第１実施形態の車載機１とスマートフォン２とを示したブロック図である。図２は、車載機１とスマートフォン２の外観図である。
【００１９】
車載機１は、スマートフォン２と通信する。
【００２０】
スマートフォン２は、携帯端末の一例である。なお、携帯端末は、スマートフォンに限らず適宜変更可能であり、例えば、タブレット端末でもよい。
【００２１】
スマートフォン２は、Bluetooth（登録商標）を用いた無線通信機能と、HDMI（High-Definition  Multimedia  Interface）端子を用いた有線通信機能と、を有する。
【００２２】
スマートフォン２は、BluetoothのHID（Human  Interface  Device）プロファイル（以下、単に「HIDプロファイル」とも称する）を有する。HIDプロファイルは、マウスやキーボード等の入力装置を無線化するためのBluetoothのプロファイルである。
【００２３】
BluetoothのHIDプロファイルにて定められた通信方式は、所定通信方式の一例である。
【００２４】
スマートフォン２は、HIDプロファイルに準拠した操作情報（例えば、マウスからの移動量情報、クリック情報またはリリース情報）を受け付け、その操作情報に応じて動作する。なお、HIDプロファイルに準拠した操作情報としては、マウスからの移動量情報、クリック情報、リリース情報の他にも、例えば、キーボードからのキー入力情報や、操作状態を元に戻すための戻す情報がある。
【００２５】
また、スマートフォン２は、BluetoothのSPP（Serial  Port  Profile）プロファイル（以下、単に「SPPプロファイル」と称する）を有する。SPPプロファイルは、Bluetooth機器を仮想シリアルポート化するためのBluetoothのプロファイルである。スマートフォン２は、SPPプロファイルに準拠した端末情報（例えば、スマートフォン２の向き（縦、横）、画面解像度や端末の状態）を車載機１に送信する。
【００２６】
また、スマートフォン２は、例えば、ナビゲーション用アプリケーションを記憶し、ナビゲーション用アプリケーションを実行することによって、ナビゲーション画面を表示する。スマートフォン２は、HDMI端子を介して、スマートフォン２が表示している画面（以下「表示画面」と称する）を表す画面情報を車載機１に送信する。
【００２７】
車載機１は、車両に設置され、スマートフォン２と通信することで、例えばナビゲーション装置として機能する。
【００２８】
図３は、車両内に車載機１とスマートフォン２とが配置された例を示した図である。
【００２９】
図３では、スマートフォン２が格納装置４を介してケーブル３で車載機１と接続されている。
【００３０】
図３では、自動車のダッシュボード５の中央上部に車載機１がはめ込まれており、ダッシュボード５の下方の運転席側に格納装置４が配置されている。スマートフォン２は、格納装置４に収容されている。
【００３１】
本実施形態では、格納装置４の内部にコネクタが配置されており、このコネクタを通じて格納装置４と車載機１とが有線で接続している。このため、スマートフォン２が格納装置４に収容され、格納装置４内のコネクタがスマートフォン２のHDMI端子に挿入されることで、車載機１とスマートフォン２との有線接続が確立される。
【００３２】
なお、車載機１とスマートフォン２との有線接続の手法は、図３に示した例に限らず、適宜変更可能である。
【００３３】
図１に戻って、車載機１は、無線通信部１１と、有線通信部１２と、表示部１３と、タッチパネル１４と、制御部１５と、を含む。なお、無線通信部１１と有線通信部１２は、通信部１６に含まれる。
【００３４】
無線通信部１１は、HIDプロファイルおよびSPPプロファイルを有し、スマートフォン２と、HIDプロファイルに準拠した無線通信やSPPプロファイルに準拠した無線通信を行う。
【００３５】
有線通信部１２は、HDMI端子を有し、スマートフォン２のHDMI端子と有線で接続される。有線通信部１２は、スマートフォン２から、スマートフォン２の画面（例えば、ナビゲーション画面）を表す画面情報や音声情報を受信する。
【００３６】
表示部１３は、表示手段の一例である。
【００３７】
表示部１３は、タッチパネル１４の背面側に重なり合うように積層され、種々の画面を表示する。表示部１３は、有線通信部１２がスマートフォン２から受信した画面情報に応じた画面（例えば、操作画面であるナビゲーション画面）を表示する。
【００３８】
タッチパネル１４は、検出手段の一例である。
【００３９】
タッチパネル１４は、車載機１への操作を検出する。例えば、タッチパネル１４は、表示部１３が表示している画面（例えば、操作画面）に対する操作（タッチパネル１４へのタッチ操作）を検出する。なお、タッチパネル１４には、ＸＹ座標が割り付けられている。タッチパネル１４は、ＸＹ座標を用いて操作位置（タッチ操作位置）を検出する。
【００４０】
制御部１５は、生成手段の一例である。
【００４１】
制御部１５は、車載機１を制御する。
【００４２】
例えば、制御部１５は、タッチパネル１４にて検出された操作に応じて、その操作に対応しHIDプロファイルに準拠した操作情報（例えば、マウスからの移動量情報、クリック情報またはリリース情報）を生成する。
【００４３】
通信部１６は、スマートフォン２と通信する。
【００４４】
例えば、通信部１６では、無線通信部１１が、制御部１５にて生成された操作情報を、HIDプロファイルにしたがって、スマートフォン２に無線送信し、また、スマートフォン２からSPPプロファイルにしたがって送信された端末情報を受信する。
【００４５】
スマートフォン２は、インターネット通信機能を有し、表示部２１と、タッチパネル２２と、無線通信部２３と、有線通信部２４と、制御部２５と、を含む。
【００４６】
表示部２１は、種々の画面を表示する。
【００４７】
タッチパネル２２は、表示部２１の前面に重なり合うように積層され、表示部２１が表示している画面へのタッチ操作を検出する。
【００４８】
無線通信部２３は、HIDプロファイルおよびSPPプロファイルを有し、車載機１の無線通信部１１とBluetoothを用いた無線通信を行う。例えば、無線通信部２３は、車載機１からHIDプロファイルに準拠した操作情報を受信し、車載機１へSPPプロファイルに準拠した端末情報を送信する。
【００４９】
有線通信部２４は、HDMI端子を有し、車載機１の有線通信部１２が有するHDMI端子と有線で接続される。有線通信部２４は、車載機１へ、スマートフォン２の画面を表す画面情報や音声情報を送信する。
【００５０】
制御部２５は、タッチパネル２２が検出したタッチ操作や、無線通信部２３が受信した操作情報にしたがって、スマートフォン２の動作を制御する。例えば、制御部２５は、タッチパネル２２が検出したタッチ操作や、無線通信部２３が受信した操作情報にしたがって、表示部２１上の画面を変更する。本実施形態では、制御部２５は、ナビゲーション用アプリケーションを記憶し、ナビゲーション用アプリケーションを実行してナビゲーション画面を表示部２１に表示する。
【００５１】
次に、動作を説明する。
【００５２】
以下では、車載機１がスマートフォン２のBluetoothマウスとして使用される例を説明する。
【００５３】
＜接続時の動作＞
まず、車載機１とスマートフォン２との接続時の動作を説明する。
【００５４】
図４は、車載機１とスマートフォン２との接続時の動作を説明するためのシーケンス図である。また、図５〜８は、接続時の車載機１の画面とスマートフォン２の画面とを示した図である。
【００５５】
まず、スマートフォン２の有線通信部２４が有するHDMI端子が、車載機１の有線通信部１２が有するHDMI端子とケーブル３にて接続され、スマートフォン２が、ケーブル３を介して画面情報を車載機１に送信し始める（ステップＳ４０１）。なお、画面情報の送信は継続的に実行されるが、図４では、いくつかのタイミングでの画面情報の送信動作のみが示されている。
【００５６】
車載機１では、有線通信部１２は、スマートフォン２からケーブル３を介して画面情報を受信すると、画面情報を制御部１５に出力する。
【００５７】
制御部１５は、画面情報を受け付けると、画面情報に応じた画面（以下「スマートフォン画面」と称する）を表示部１３に表示する（ステップＳ４０２）。
【００５８】
なお、以下では、スマートフォン２で表示されているスマートフォン画面を「スマートフォン画面２ａ２」と称し、車載機１で表示されているスマートフォン画面を「スマートフォン画面２ａ１」と称する。
【００５９】
図５は、車載機１の表示部１３がスマートフォン２からの画面情報に応じてスマートフォン画面２ａ１を表示した状況の一例を示した図である。
【００６０】
なお、車載機１の表示部１３の縦横比とスマートフォン２の表示部２１の縦横比が異なる場合、図５に示したように、表示部１３の表示面１３ｂには、黒画像１３ａが表示される。
【００６１】
図５では、表示面１３ｂは、横長のスマートフォン画面２ａ２に対応する横長のスマートフォン画面２ａ１を表示している。しかしながら、スマートフォン画面２ａ２が縦長である場合には、制御部１５は、縦長のスマートフォン画面２ａ２に対応する縦長のスマートフォン画面２ａ１を表示面１３ｂに表示する。この場合、黒画像１３ａは、表示面１３ｂの左右に表示される。
【００６２】
また、車載機１の表示部１３の縦横比とスマートフォン２の表示部２１の縦横比が異なる場合、制御部１５は、画面情報の縦横比（解像度）が表示部１３の縦横比（解像度）に合うように、画面情報の縦横比（解像度）を変換し、縦横比（解像度）が変換された画面情報に応じたスマートフォン画面２ａ１を表示面１３ｂに表示してもよい。この場合、表示面１３ｂ全体にスマートフォン画面２ａ１が表示され、黒画像１３ａは表示されない。
【００６３】
制御部１５は、表示面１３ｂにスマートフォン画面２ａ１を表示すると、スマートフォン２からの画面情報を参照して、画面情報にて規定されたスマートフォン画面２ａ２のサイズ（横と縦の画素数）を検出し、かつ、表示面１３ｂ内のスマートフォン画面２ａ１の位置を検出する。
【００６４】
本実施形態では、制御部１５は、表示面１３ｂ内のスマートフォン画面２ａ１の四隅２ａ１１〜２ａ１４の各位置（各ＸＹ座標）を、基点の位置として検出する。
【００６５】
制御部１５は、スマートフォン画面２ａ２のサイズ（横と縦の画素数）と基点の位置の検出結果とを、位置特定情報として保持する（ステップＳ４０３）。
【００６６】
なお、位置特定情報は、画面情報にて規定されたスマートフォン画面２ａ２と、表示面１３ｂ内のスマートフォン画面２ａ１と、の対応関係を表す。
【００６７】
図６は、表示面１３ｂ内のスマートフォン画面２ａ１の四隅の位置２ａ１１〜２ａ１４を示した図である。
【００６８】
本実施形態では、基点の位置の検出は、制御部１５が表示面１３ｂにスマートフォン画面２ａ１の表示を開始したときのみに行われる。なお、基点の位置の検出は、例えば、定期的に行われてもよい。
【００６９】
続いて、車載機１の無線通信部１１からスマートフォン２の無線通信部２３に対してSPPプロファイルの接続が実行される（ステップＳ４０４）。この接続は、車載機１のユーザが車載機１およびスマートフォン２を操作することにより実行される。
【００７０】
なお、基点の位置の検出に関し、予めスマートフォン２に設定情報として基点の位置が登録され、制御部１５が、SPPプロファイルにて、基点の位置についての設定情報をスマートフォン２から取得し、取得された基点の位置を保持してもよい。
【００７１】
続いて、車載機１の無線通信部１１からスマートフォン２の無線通信部２３に対してHIDプロファイルの接続が実行される（ステップＳ４０５）。この接続は、車載機１のユーザが車載機１およびスマートフォン２を操作することにより実行される。
【００７２】
この接続により、スマートフォン２（制御部２５）は、車載機１をBluetoothマウスとして認識し、Bluetoothマウスが接続されたと認識する。続いて、制御部２５は、スマートフォン画面２ａ２にマウスカーソル２１ａを表示する（ステップＳ４０６）。これに伴い、制御部２５は、マウスカーソル２１ａが表示されたスマートフォン画面を表す画面情報を、有線通信部２４を介して車載機１に送信し（ステップＳ４０７）、車載機１の制御部１５は、表示面１３ｂ上に、マウスカーソル２１ａが表示されたスマートフォン画面２ａ２を表示する（ステップＳ４０８）。
【００７３】
図７は、車載機１とスマートフォン２との間でHIDプロファイル同士が接続され、スマートフォン画面２ａ１および２ａ２にマウスカーソル２１ａが表示された状況の一例を示した図である。
【００７４】
一方、車載機１とスマートフォン２とのHIDプロファイルでの接続が実行されると、車載機１では、制御部１５は、マウスカーソル２１ａをスマートフォン画面２ａ２上の基準位置に移動するために、HIDプロファイルに準拠した基準移動量情報を生成する（ステップＳ４０９）。
【００７５】
なお、スマートフォン画面２ａ２上の基準位置は、例えば、デフォルトでスマートフォン画面２ａ２の右下隅の位置、つまり、スマートフォン画面２ａ１の右下隅２ａ１１の位置に対応する位置（図６参照）に設定されている。本実施形態では、スマートフォン画面２ａ２上の基準位置の情報は、制御部１５に保持されている。
【００７６】
基準移動量情報は、マウスカーソル２１ａがスマートフォン画面２ａ２上のどの位置にあってもスマートフォン画面２ａ２の右下隅に移動できる移動量を表す。
【００７７】
続いて、制御部１５は、基準移動量情報を無線通信部１１に出力する。
【００７８】
無線通信部１１は、基準移動量情報を受け付けると、基準移動量情報をHIDプロファイルにしたがってスマートフォン２に送信する（ステップＳ４１０）。
【００７９】
スマートフォン２では、無線通信部２３は、車載機１から基準移動量情報を受信すると、基準移動量情報を制御部２５に出力する。
【００８０】
制御部２５は、基準移動量情報を受け付けると、スマートフォン画面２ａ２上で、基準移動量情報が表す移動量だけマウスカーソル２１ａを移動して、マウスカーソル２１ａをスマートフォン画面２ａ２上の基準位置（スマートフォン画面２ａ２の右下隅の位置、つまり、スマートフォン画面２ａ１の右下隅２ａ１１の位置に対応する位置）に持っていく（ステップＳ４１１）。
【００８１】
なお、マウスカーソル２１ａがスマートフォン画面２ａ２の右下隅の位置にくると、マウスカーソル２１ａは、スマートフォン画面２ａ２から外れる。このため、マウスカーソル２１ａは、スマートフォン画面２ａ２および２ａ１上に表示されなくなる。
【００８２】
図８は、マウスカーソル２１ａがスマートフォン画面２ａ２の右下隅（基準位置）に位置するときの一例を示した図である。
【００８３】
＜タッチ操作時の動作＞
次に、マウスカーソル２１ａがスマートフォン画面２ａ２の右下隅（基準位置）に位置する状況（以下「初期状況」と称する）で、車載機１のタッチパネル１４へのタッチ操作が行われたときの動作を説明する。
【００８４】
図９は、タッチパネル１４へのタッチ操作が行われたときの動作を説明するためのシーケンス図である。また、図１０〜１４は、タッチ操作時の車載機１の画面とスマートフォン２の画面とを示した図である。
【００８５】
タッチパネル１４は、初期状況下でタッチ操作を検出すると、タッチ操作位置（ＸＹ座標）を検出し（ステップＳ９０１）、タッチ操作位置１ａを制御部１５に出力する。
【００８６】
制御部１５は、タッチ操作位置１ａを受け付けると、位置特定情報を用いて、タッチ操作位置１ａが、表示部２１上のスマートフォン画面２ａ２（画面情報にて規定されたスマートフォン画面２ａ２）のどの位置（操作位置）にあたるかを計算する。
【００８７】
本実施形態では、制御部１５は、位置特定情報を用いて、タッチ操作位置１ａを、表示部２１上のスマートフォン画面２ａ２の操作位置２ａに変換する（ステップＳ８０２）。以下、タッチ操作位置から変換された位置を「変換位置」と称する。
【００８８】
例えば、制御部１５は、位置特定情報を用いて、４つの基点にて特定される領域のサイズと、画面情報にて規定されたスマートフォン画面２ａ２のサイズと、の対応関係を算出し、その対応関係を用いて、４つの基点にて特定される領域内のタッチ操作位置１ａを、画面情報にて規定されたスマートフォン画面２ａ２内の操作位置（変換位置）２ａに変換する。
【００８９】
一例としては、制御部１５は、Ｘ座標について、基点２ａ１４（図６参照）のＸ座標位置からタッチ操作位置のＸ座標位置までの長さＬｘ１と、タッチ操作位置のＸ座標位置から基点２ａ１１（図６参照）のＸ座標位置までの長さＬｘ２と、の比「Ｌｘ１：Ｌｘ２」を求める。そして、制御部１５は、スマートフォン画面２ａ２の横方向（Ｘ軸）を「Ｌｘ１：Ｌｘ２」に分割する位置を変換位置のＸ座標として特定する。
【００９０】
また、制御部１５は、Ｙ座標について、基点２ａ１３（図６参照）のＹ座標位置からタッチ操作位置のＹ座標位置までの長さＬｙ１と、タッチ操作位置のＹ座標位置から基点２ａ１４（図６参照）のＹ座標位置までの長さＬｙ２と、の比「Ｌｙ１：Ｌｙ２」を求める。そして、制御部１５は、スマートフォン画面２ａ２の縦方向（Ｙ軸）を「Ｌｙ１：Ｌｙ２」に分割する位置を変換位置のＹ座標として特定する。
【００９１】
図１０は、タッチ操作位置１ａと変換位置２ａとの一例を示した図である。
【００９２】
続いて、制御部１５は、位置特定情報を用いて、スマートフォン画面２ａ２の右下隅（基準位置）から変換位置２ａへの移動量を表す移動量情報を生成する（ステップＳ９０３）。
【００９３】
本実施形態では、制御部１５は、Ｘ軸方向の移動量とＹ軸方向の移動量とを表す移動量情報を生成する。なお、移動量情報は、Bluetoothマウスから送信されるマウスの移動量を表す情報に対応し、HIDプロファイルに準拠した情報（操作情報）となる。
【００９４】
続いて、制御部１５は、移動量情報を無線通信部１１に出力する。
【００９５】
無線通信部１１は、移動量情報を受け付けると、移動量情報をHIDプロファイルにしたがってスマートフォン２に送信する（ステップＳ９０４）。
【００９６】
図１１は、移動量情報の送信を示した図である。
【００９７】
制御部１５は、移動量情報を無線通信部１１に出力すると、クリック操作を表すクリック情報を、無線通信部１１に出力する。
【００９８】
無線通信部１１は、クリック情報を受け付けると、クリック情報をHIDプロファイルにしたがってスマートフォン２に送信する（ステップＳ９０５）。
【００９９】
図１２は、クリック情報の送信を示した図である。
【０１００】
なお、クリック情報も操作情報の一例となる。
【０１０１】
スマートフォン２では、無線通信部２３は、車載機１から移動量情報を受信すると、移動量情報を制御部２５に出力し、車載機１からクリック情報を受信すると、クリック情報を制御部２５に出力する。
【０１０２】
制御部２５は、移動量情報とクリック情報を受け付けると、スマートフォン画面２ａ２上で、移動量情報が表す移動量だけマウスカーソル２１ａを基準位置から移動して、マウスカーソル２１ａをスマートフォン画面２ａ上の変換位置２ａに持っていき、変換位置２ａでのクリック操作を受け付ける（ステップＳ９０６）。
【０１０３】
その後、タッチパネル１４が、タッチ操作の終了を検出すると（ステップＳ９０７）、タッチパネル１４は、タッチ操作の終了を制御部１５に通知する。
【０１０４】
制御部１５は、タッチ操作の終了の通知を受け付けると、リリース操作を表すリリース情報を無線通信部１１に出力する。
【０１０５】
無線通信部１１は、リリース情報を受け付けると、リリース情報をHIDプロファイルにしたがってスマートフォン２に送信する（ステップＳ９０８）。
【０１０６】
図１３は、リリース情報の送信を示した図である。
【０１０７】
制御部１５は、リリース情報を無線通信部１１に出力すると、続いて、基準移動量情報を、無線通信部１１に出力する。
【０１０８】
無線通信部１１は、基準移動量情報を受け付けると、基準移動量情報をHIDプロファイルにしたがってスマートフォン２に送信する（ステップＳ９０９）。
【０１０９】
図１４は、基準移動量情報の送信を示した図である。
【０１１０】
スマートフォン２では、無線通信部２３は、車載機１からリリース情報を受信すると、リリース情報を制御部２５に出力し、車載機１から基準移動量情報を受信すると、基準移動量情報を制御部２５に出力する。
【０１１１】
制御部２５は、リリース情報と基準移動量情報を受け付けると、マウスカーソル２１ａが存在する位置でのリリース操作を受け付け、その後、マウスカーソル２１ａをスマートフォン画面２ａ２上の基準位置に持っていく（ステップＳ９１０）。
【０１１２】
＜ドラッグ操作、フリック操作時の動作＞
次に、初期状況で、車載機１のタッチパネル１４へのドラッグ操作、フリック操作が行われたときの動作を説明する。
【０１１３】
図１５は、タッチパネル１４へのドラッグ操作、フリック操作が行われたときの動作を説明するためのシーケンス図である。また、図１６〜１９は、ドラッグ操作、フリック操作時の車載機１の画面とスマートフォン２の画面とを示した図である。
【０１１４】
なお、図１５において、図９に示した処理と同一の処理には同一符号を付してある。
【０１１５】
以下、図９に示した処理と異なる処理を中心に動作を説明する。
【０１１６】
タッチパネル１４が、初期状況下で最初にタッチ操作を検出すると、ステップＳ９０１〜Ｓ９０６が実行される。
【０１１７】
図１６は、ステップＳ９０６が実行された際の状況の一例を示した図である。
【０１１８】
その後、タッチパネル１４が、タッチ操作が継続された状況でのタッチ操作の位置の移動、つまり、ドラッグ操作またはフリック操作を検出すると（ステップＳ１５０１）、タッチパネル１４は、タッチ操作の移動先の位置（ＸＹ座標）を、制御部１５に出力する。なお、図１７では、ドラッグ操作の例を示してある。
【０１１９】
制御部１５は、タッチ操作の移動先の位置を受け付けると、位置特定情報を用いて、タッチ操作の移動先の位置が、表示部２１上のスマートフォン画面２ａ２（画面情報にて規定されたスマートフォン画面２ａ２）のどの位置にあたるかを計算する。
【０１２０】
本実施形態では、制御部１５は、位置特定情報を用いて、タッチ操作の移動先の位置を、スマートフォン画面２ａ２の操作位置に変換する（ステップＳ１５０２）。以下、タッチ操作の移動先の位置から変換された位置を「移動先変換位置」と称する。
【０１２１】
続いて、制御部１５は、位置特定情報を用いて、変換位置（クリック位置）から移動先変換位置へのマウスカーソル２１ａの移動量を表す移動量情報を生成する（ステップＳ１５０３）。
【０１２２】
本実施形態では、制御部１５は、Ｘ軸方向の移動量とＹ軸方向の移動量とを表す移動量情報を生成する。
【０１２３】
続いて、制御部１５は、ステップＳ１５０３で生成した移動量情報を無線通信部１１に出力する。その後、制御部１５は、変換位置を移動先変換位置に更新して、移動先変換位置を新たな変換位置とする。なお、変換位置を移動先変換位置に更新した旨は、スマートフォン２には通知されない。
【０１２４】
無線通信部１１は、移動量情報を受け付けると、移動量情報をHIDプロファイルにしたがってスマートフォン２に送信する（ステップＳ１５０４）。
【０１２５】
スマートフォン２では、無線通信部２３は、車載機１から移動量情報を受信すると、移動量情報を制御部２５に出力する。
【０１２６】
制御部２５は、移動量情報を受け付けると、スマートフォン画面２ａ２上で、移動量情報が表す移動量だけマウスカーソル２１ａを移動して、マウスカーソル２１ａをスマートフォン画面２ａ２上の移動変換位置に持っていく（ステップＳ１５０５）。
【０１２７】
図１７は、マウスカーソル２１ａの移動変換位置への移動を示した図である。
【０１２８】
なお、本実施形態では、制御部１５は、タッチパネル１４がドラッグ操作またはフリック操作を検出したかを所定時間間隔（例えば、０．２秒間隔）で確認し、タッチパネル１４がドラッグ操作またはフリック操作を検出するごとに、ステップＳ１５０２〜Ｓ１５０４を繰り返す。なお、所定時間間隔は、０．２秒間隔に限らず適宜変更可能である。
【０１２９】
また、移動量情報にて表すことができる移動量に上限値があり、変換位置から移動先変換位置への移動量が上限値を超える場合、制御部１５は、移動量情報を複数回送信することによって、変換位置から移動先変換位置への移動量をスマートフォン２に通知する。
【０１３０】
その後、タッチパネル１４が、タッチ操作の終了を検出すると（ステップＳ９０７）、ステップＳ９０８〜Ｓ９１０が実行される。
【０１３１】
図１８は、ドラッグ操作またはフリック操作終了時のリリース情報の送信を示した図である。
【０１３２】
図１９は、リリース情報の送信後に行われる基準移動量情報の送信を示した図である。
【０１３３】
次に、本実施形態の効果について説明する。
【０１３４】
本実施形態によれば、タッチパネル１４は、車載機１への操作を検出する。制御部１５は、タッチパネル１４にて検出された操作に応じて、その操作に対応しかつBluetoothのHIDプロファイルに準拠した操作情報（移動量情報、クリック情報またはリリース情報）を生成する。通信部１６は、制御部１５にて生成された操作情報を、BluetoothのHIDプロファイルにて規定された通信方式で、BluetoothのHIDプロファイルを有するスマートフォン２に送信する。
【０１３５】
本実施形態では、車載機１とスマートフォン２との通信を、BluetoothのHIDプロファイルにて規定された通信方式で行うため、管理者権限を有さない者でも車載機１とスマートフォン２とを接続することができる。
【０１３６】
そして、車載機１は、ユーザによる操作を、スマートフォン２が有するBluetoothのHIDプロファイルに準拠した操作情報に変換し、その操作情報を、BluetoothのHIDプロファイルにて規定された通信方式でスマートフォン２に送信する。このため、車載機１からの操作情報にて、スマートフォン２を操作可能になる。
【０１３７】
したがって、車載機による遠隔操作用の専用のアプリケーションプログラムを必要とせずに、車載機１にてスマートフォン２を操作することが可能になる。
【０１３８】
なお、この効果は、タッチパネル１４と制御部１５と通信部１６（無線通信部１１）とからなる車載機でも奏する。
【０１３９】
また、車載機による遠隔操作用の専用のアプリケーションプログラムを動作させて車載機１からの情報を解析する必要がなくなるので、スマートフォン２では、操作情報に対する追従性が向上する。
【０１４０】
また、本実施形態では、BluetoothのHIDプロファイルにて定められた通信方式が、所定通信方式として使用される。このため、BluetoothのHIDプロファイルを用いることで、管理者権限を有する者でないと行えない特殊な作業を行うことなく、車載機１にてスマートフォン２を操作することが可能になる。
【０１４１】
なお、所定通信方式は、BluetoothのHIDプロファイルにて定められた通信方式に限らない。例えば、所定通信方式として、USB（Universal  Serial  Bus）マウスに対応する通信方式が用いられてもよい。
【０１４２】
所定通信方式として、USBマウスに対応する通信方式が用いられる場合、車載機１はUSBケーブルを有し、スマートフォン２はUSBポートを有し、車載機１のUSBケーブルがスマートフォン２のUSBポートに接続される。制御部１５は、タッチパネル１４が検出した操作に対応しかつUSBマウスに対応する通信方式に準拠した操作情報（移動量情報、クリック情報またはリリース情報）を生成し、操作情報をUSBケーブルでスマートフォン２に送信する。この場合、USBケーブルが通信手段の一例となる。このように、操作情報の通信は、無線通信でもよく有線通信でもよい。
【０１４３】
また、本実施形態では、タッチパネル１４が検出手段として用いられている。このため、車載機１のタッチパネル１４を、スマートフォン２の操作を受け付けるためのインターフェイスとして用いることが可能になる。
【０１４４】
なお、検出手段は、タッチパネル１４に限らず適宜変更可能である。例えば、検出手段として、ユーザによる音声操作を検出する音声解析部が用いられてもよい。
【０１４５】
また、本実施形態では、表示部１３がタッチパネル１４の背面側に設けられ、通信部１６は、スマートフォン２からスマートフォン２の画面（スマートフォン画面２ａ２）を表す画面情報を受信し、表示部１３は、画面情報に応じてスマートフォン画面２ａ１を表示する。制御部１５は、画面情報にて規定されるスマートフォン画面２ａ２のサイズと、表示部１３内のスマートフォン画面２ａ１の位置と、を表す位置特定情報を生成する。制御部１５は、タッチパネル１４にて検出されたタッチ操作に応じて、位置特定情報を用いて、タッチパネル１４上でのタッチ操作の位置を、スマートフォン２でのスマートフォン画面２ａ２上の操作位置に変換する。制御部１５は、スマートフォン２でのスマートフォン画面２ａ２上の操作位置に基づいて、操作情報（移動量情報やクリック情報）を生成する。
【０１４６】
このため、車載機１におけるタッチ操作を、スマートフォン２におけるタッチ操作として処理することが可能になる。
【０１４７】
また、本実施形態では、制御部１５は、スマートフォン２でのスマートフォン画面２ａ２上の操作位置に基づいて、スマートフォン２でのスマートフォン画面２ａ２上に設定された基準位置から、スマートフォン２でのスマートフォン画面２ａ２上の操作位置へ、の移動量を表す移動量情報と、クリック操作を表すクリック情報と、を操作情報として生成する。
【０１４８】
このため、車載機１におけるタッチ操作を、BluetoothのHIDプロファイルに準拠した操作情報に変更することが可能になる。
【０１４９】
また、本実施形態では、制御部１５は、タッチパネル１４がタッチ操作の終了を検出すると、スマートフォン２でのスマートフォン画面２ａ２上の操作位置から、スマートフォン２でのスマートフォン画面２ａ２上に設定された基準位置へ、の移動量を表す移動量情報と、リリース操作を表すリリース情報と、を操作情報として生成する。
【０１５０】
このため、タッチパネル１４へのタッチ操作の終了に伴い、スマートフォン２でのスマートフォン画面２ａへの仮想的なタッチ操作を終了でき、さらに、マウスカーソルの位置を基準位置に戻すことが可能になる。
【０１５１】
また、本実施形態では、制御部１５は、タッチパネル１４がタッチ操作の検出後にタッチ操作を継続した状況でのタッチ操作の位置の移動を検出すると、位置特定情報を用いて、移動後のタッチ操作の位置を、スマートフォン２でのスマートフォン画面２ａ２上の移動位置に変換する。そして、制御部１５は、スマートフォン２でのスマートフォン画面２ａ２上の操作位置から、スマートフォン２でのスマートフォン画面２ａ２上の移動位置へ、の移動量を表す移動量情報を、操作情報として生成する。
【０１５２】
このため、車載機１のタッチパネル１４へのドラッグ操作やフリック操作を、BluetoothのHIDプロファイルに準拠した操作情報に変更することが可能になる。
【０１５３】
（第２実施形態）
次に、本発明の第２実施形態について説明する。
【０１５４】
第１実施形態では、スマートフォン画面２ａ２上の基準位置が固定されていたが、第２実施形態では、スマートフォン画面２ａ２上の基準位置は、タッチ操作の終了位置に応じて変更される。
【０１５５】
以下、第２実施形態について、第１実施形態と異なる点を中心に説明する。
【０１５６】
図２０は、本発明の第２実施形態の車載機１０Ａとスマートフォン２とを示したブロック図である。なお、図２０において、図１に示したものと同一構成のものには同一符号を付してある。
【０１５７】
車載機１０Ａは、無線通信部１１と、有線通信部１２と、表示部１３と、タッチパネル１４と、制御部１５Ａと、を含む。
【０１５８】
制御部１５Ａは、生成手段の一例である。
【０１５９】
制御部１５Ａは、図１に示した制御部１５が有する機能に加えて、スマートフォン画面２ａ２上の基準位置をタッチ操作の終了位置に応じて変更する機能を有する。
【０１６０】
本実施形態では、図２１に示すように、タッチパネル１４が、左上領域１４ａ、右上領域１４ｂ、左下領域１４ｃおよび右下領域１４ｄの４つの領域に分けられている。
【０１６１】
制御部１５Ａは、タッチ操作の終了位置が左上領域１４ａに含まれる場合には、スマートフォン画面２ａ２上の基準位置を、スマートフォン画面２ａ２の左上隅の位置に設定する。
【０１６２】
また、制御部１５Ａは、タッチ操作の終了位置が右上領域１４ｂに含まれる場合には、スマートフォン画面２ａ２上の基準位置を、スマートフォン画面２ａ２の右上隅の位置に設定する。
【０１６３】
また、制御部１５Ａは、タッチ操作の終了位置が左下領域１４ｃに含まれる場合には、スマートフォン画面２ａ２上の基準位置を、スマートフォン画面２ａ２の左下隅の位置に設定する。
【０１６４】
また、制御部１５Ａは、タッチ操作の終了位置が右下領域１４ｄに含まれる場合には、スマートフォン画面２ａ２上の基準位置を、スマートフォン画面２ａ２の右下隅の位置に設定する。
【０１６５】
本実施形態によれば、制御部１５Ａは、タッチパネル１４上でのタッチ操作の終了位置に応じて、スマートフォン画面２ａ２上の基準位置を変更する。
【０１６６】
一般的に、スマートフォン等の携帯端末に設けられたタッチパネルにおいて、タッチ操作が終了した後に、新たなタッチ操作が行われる位置は、直前のタッチ操作の終了位置の近くであることが多い。
【０１６７】
このため、制御部１５Ａが、タッチパネル１４上でのタッチ操作の終了位置に応じてスマートフォン画面２ａ２上の基準位置を変更することによって、スマートフォン画面２ａ２上の基準位置が、次に行われるタッチ操作に応じた操作位置の近くになる可能性を高くすることができる。スマートフォン画面２ａ２上の基準位置が、次に行われるタッチ操作に応じた操作位置の近くになると、マウスカーソル２１ａの移動量を少なくでき、マウスカーソル２１ａの移動に伴う処理を少なくすることが可能になる。
【０１６８】
（第３実施形態）
次に、本発明の第３実施形態について説明する。
【０１６９】
第３実施形態は、第１実施形態または第２実施形態に、車載機でのスマートフォン画面２ａ１についての自動キャリブレーション機能を付加したものである。
【０１７０】
なお、自動キャリブレーション機能は、スマートフォンでのスマートフォン画面２ａ２が、縦長の画面（縦表示）または横長の画面（横表示）に切り替わる場合に実行される。具体的には、車載機が、スマートフォン画面２ａ２が縦表示または横表示かを示す状態情報（以下、単に「状態情報」と称する）を、SPPプロファイルを用いてスマートフォンから取得し、その状態情報に応じて車載機でのスマートフォン画面２ａ１を変更する。
【０１７１】
以下、第３実施形態について、第１実施形態に自動キャリブレーション機能が付加された例を説明する。
【０１７２】
図２２は、本発明の第３実施形態の車載機１０Ｂとスマートフォン２Ｂとを示したブロック図である。なお、図２２において、図１に示したものと同一構成のものには同一符号を付してある。
【０１７３】
スマートフォン２Ｂは、インターネット通信機能を有し、表示部２１と、タッチパネル２２と、無線通信部２３と、有線通信部２４と、制御部２５Ｂと、を含む。
【０１７４】
制御部２５Ｂは、図１に示した制御部２５が有する機能を有する。
【０１７５】
さらに、制御部２５Ｂは、スマートフォン２Ｂでのスマートフォン画面２ａ２が、縦長の画面または横長の画面に切り替わると、SPPプロファイルを用いて状態情報を車載機１０Ｂに送信する。
【０１７６】
また、制御部２５Ｂは、縦長の画面での基点の位置を表す縦画面設定情報と、横長の画面での基点の位置を表す横画面設定情報と、を予め保持している。
【０１７７】
車載機１０Ｂは、無線通信部１１と、有線通信部１２と、表示部１３と、タッチパネル１４と、制御部１５Ｂと、を含む。
【０１７８】
制御部１５Ｂは、生成手段の一例である。
【０１７９】
制御部１５Ｂは、図１に示した制御部１５が有する機能を有する。
【０１８０】
さらに、制御部１５Ｂは、SPPプロファイルを用いてスマートフォン２Ｂから状態情報を受信すると、状態情報を参照して、スマートフォン２Ｂでのスマートフォン画面２ａ２が縦長の画面か横長の画面かを確認する。
【０１８１】
制御部１５Ｂは、スマートフォン画面２ａ２が縦長の画面である場合には、SPPプロファイルを用いて、縦画面設定情報をスマートフォン２Ｂから取得し、取得された縦長の画面での基点の位置を保持する。
【０１８２】
また、制御部１５Ｂは、スマートフォン画面２ａ２が横長の画面である場合には、SPPプロファイルを用いて、横画面設定情報をスマートフォン２Ｂから取得し、取得された横長の画面での基点の位置を保持する。
【０１８３】
なお、制御部１５Ｂは、例えば、スマートフォン２Ｂが縦画面設定情報と横画面設定情報とを保持していない場合、縦長の画面での基点の位置を、制御部１５Ｂが表示面１３ｂに縦長のスマートフォン画面２ａ１の表示を最初に行ったときのみに検出し、その検出結果を保持し、また、横長の画面での基点の位置を、制御部１５Ｂが表示面１３ｂに横長のスマートフォン画面２ａ１の表示を最初に行ったときのみに検出し、その検出結果を保持してもよい。
【０１８４】
本実施形態によれば、スマートフォン２Ｂでのスマートフォン画面２ａ２の縦表示や横表示の切り替わりに応じて、車載機１０Ｂでのスマートフォン画面２ａ１を自動的に変更することが可能になる。
【０１８５】
なお、図２２は、第１実施形態に自動キャリブレーション機能が付加された例を示したが、第２実施形態に自動キャリブレーション機能が付加されてもよい。
【０１８６】
なお、上記各実施形態において、スマートフォン２に、車載機１からの操作情報にしたがって動作することを前提に作成された専用アプリケーション（アプリケーションプログラム）が搭載されていてもよい。以下、スマートフォン２内の制御部２５のうち、専用アプリケーションを実行している部分を「アプリケーション実行部」と称する。
【０１８７】
専用アプリケーションが実行されている状況で、制御部２５が、無線通信部２３を介して車載機１からの操作情報を受け付けると、その操作情報をアプリケーション実行部に渡す。アプリケーション実行部は、その操作情報を処理する。
【０１８８】
また、上記各実施形態において、有線通信部１２と有線通信部２４は、HDMI端子を用いた有線通信を行ったが、有線通信部１２と有線通信部２４との間の有線通信は、HDMI端子を用いた有線通信に限らず適宜変更可能である。例えば、有線通信部１２と有線通信部２４との間の有線通信として、MHL（Mobile  High-Definition  Link）が用いられてもよい。
【０１８９】
また、上記各実施形態において、有線通信部１２と有線通信部２４との間の有線通信の代わりに、画面を圧縮して送信する無線通信、または無線HDMIなど、無線通信が利用されてもよい。
【０１９０】
また、上記各実施形態では、端末情報の通信にSPPプロファイルが用いられたが、端末情報の通信は、SPPプロファイルにしたがった通信に限らず、適宜変更可能である。
【０１９１】
また、上記各実施形態において、制御部１５は、タッチパネル１４がマルチタッチ操作を検出した場合、マルチタッチ操作に対応しHIDプロファイルに準拠した操作情報を生成してもよい。
【０１９２】
また、上記各実施形態では、車載機１および１０Ａは、スマートフォン２から情報を受信し、その情報に応じた表示を実行する。このため、車載機１および１０Ａは、スマートフォン２がインターネット通信を行って取得した情報を表示できる。よって、車載機１および１０Ａには、インターネット通信機能を搭載しなくてもよくなり、車載機１および１０Ａについての通信の費用を抑えることが可能になる。
【０１９３】
また、上記実施形態において、車載機１または１０Ａ（制御部１５または１５Ａ）は、コンピュータにて実現されてもよい。この場合、このコンピュータは、コンピュータにて読み取り可能なＣＤ−ＲＯＭ（Compact  Disk  Read  Only  Memory）のような記録媒体に記録されたプログラムを読込み実行して、または、有線通信または無線通信で受信したプログラム（例えばアプリケーションプログラム）を受信し実行して、車載機１または１０Ａ（制御部１５または１５Ａ）として機能する。記録媒体は、ＣＤ−ＲＯＭに限らず適宜変更可能である。
【０１９４】
以上説明した各実施形態において、図示した構成は単なる一例であって、本発明はその構成に限定されるものではない。
【０１９５】
実施形態を参照して本願発明を説明したが、本願発明は上記実施形態に限定されるものではない。本願発明の構成や詳細には、本願発明のスコープ内で当業者が理解し得る様々な変更をすることができる。この出願は、２０１２年８月２７日に出願された日本出願特願２０１２−１８６５８５を基礎とする優先権を主張し、その開示の全てをここに取り込む。
【符号の説明】
【０１９６】
１、１０Ａ、１０Ｂ  車載機
１１        無線通信部
１２        有線通信部
１３        表示部
１４        タッチパネル
１５、１５Ａ、１５Ｂ  制御部
１６        通信部
２、２Ｂ    スマートフォン
２１        表示部
２２        タッチパネル
２３        無線通信部
２４        有線通信部
２５、２５Ｂ  制御部
【図１】
2014034193.tif 000003
【図２】
2014034193.tif 000004
【図３】
2014034193.tif 000005
【図４】
2014034193.tif 000006
【図５】
2014034193.tif 000007
【図６】
2014034193.tif 000008
【図７】
2014034193.tif 000009
【図８】
2014034193.tif 000010
【図９】
2014034193.tif 000011
【図１０】
2014034193.tif 000012
【図１１】
2014034193.tif 000013
【図１２】
2014034193.tif 000014
【図１３】
2014034193.tif 000015
【図１４】
2014034193.tif 000016
【図１５】
2014034193.tif 000017
【図１６】
2014034193.tif 000018
【図１７】
2014034193.tif 000019
【図１８】
2014034193.tif 000020
【図１９】
2014034193.tif 000021
【図２０】
2014034193.tif 000022
【図２１】
2014034193.tif 000023
【図２２】
2014034193.tif 000024
【手続補正書】
【提出日】平成27年2月20日(2015.2.20)
【手続補正１】
【補正対象書類名】特許請求の範囲
【補正対象項目名】請求項１０
【補正方法】変更
【補正の内容】
【請求項１０】
所定通信方式に対応する携帯端末と通信するコンピュータに、
前記車載機への操作を検出する検出手順と、
前記検出した操作に応じて、当該操作に対応し前記所定通信方式に準拠した操作情報を生成する生成手順と、
前記操作情報を前記所定通信方式で前記携帯端末に送信する通信手順と、を実行させるためのプログラム。
【手続補正３】
【補正対象書類名】明細書
【補正対象項目名】００１４
【補正方法】変更
【補正の内容】
【００１４】
本発明のプログラムは、
所定通信方式に対応する携帯端末と通信するコンピュータに、
前記車載機への操作を検出する検出手順と、
前記車載機への操作に応じて、当該操作に対応し前記所定通信方式に準拠した操作情報を生成する生成手順と、
前記操作情報を前記所定通信方式で前記携帯端末に送信する通信手順と、を実行させる。
【手続補正書】
【提出日】平成28年6月10日(2016.6.10)
【手続補正１】
【補正対象書類名】特許請求の範囲
【補正対象項目名】全文
【補正方法】変更
【補正の内容】
【特許請求の範囲】
【請求項１】
所定通信方式に対応する携帯端末と通信する車載機であって、
前記車載機への操作としてタッチ操作を検出するタッチパネルと、
前記タッチパネルが検出した車載機への操作に応じて、当該操作に対応し前記所定通信方式に準拠した操作情報を生成する生成手段と、
前記操作情報を前記所定通信方式で前記携帯端末に送信する通信手段と、
を含み、
前記生成手段は、前記タッチパネルにて検出されたタッチ操作に応じて、前記タッチパネル上での前記タッチ操作の位置を前記携帯端末の表示画面上の操作位置に変換し、前記携帯端末の表示画面上に設定された基準位置から当該携帯端末の表示画面上の操作位置への移動量を前記操作情報として生成し、前記タッチパネル上での前記タッチ操作の終了位置に応じて、前記基準位置を変更する、車載機。
【請求項２】
請求項１に記載の車載機において、
前記所定通信方式は、BluetoothのHIDプロファイルにて定められた通信方式、または、USBマウスに対応する通信方式である、車載機。
【請求項３】
請求項１または２に記載の車載機において、
前記タッチパネルの背面側に設けられた表示手段をさらに含み、
前記通信手段は、前記携帯端末から前記携帯端末の表示画面を表す画面情報を受信し、
前記表示手段は、前記画面情報に応じて前記携帯端末の表示画面を表示し、
前記生成手段は、前記画面情報にて規定される前記携帯端末の表示画面のサイズと、前記表示手段内の前記携帯端末の表示画面の位置と、を表す位置特定情報を生成し、当該携帯端末の表示画面上の操作位置に基づいて前記操作情報を生成する、車載機。
【請求項４】
請求項３に記載の車載機において、
前記生成手段は、前記携帯端末の表示画面上の操作位置に基づいて、クリック操作を表すクリック情報を生成する、車載機。
【請求項５】
請求項４に記載の車載機において、
前記生成手段は、前記タッチパネルが前記タッチ操作の終了を検出すると、前記携帯端末の表示画面上の操作位置から前記基準位置への移動量を表す移動量情報と、リリース操作を表すリリース情報と、を前記操作情報として生成する、車載機。
【請求項６】
請求項３から５のいずれか１項に記載の車載機において、
前記生成手段は、前記タッチパネルが前記タッチ操作の検出後に当該タッチ操作が継続された状況での当該タッチ操作の位置の移動を検出すると、前記位置特定情報を用いて、前記移動後の前記タッチ操作の位置を前記携帯端末の表示画面上の移動位置に変換し、前記携帯端末の表示画面上の操作位置から前記携帯端末の表示画面上の移動位置への移動量を表す移動量情報を、前記操作情報として生成する、車載機。
【請求項７】
所定通信方式に対応する携帯端末と通信する車載機が行う携帯端末制御方法であって、
前記車載機への操作としてタッチ操作をタッチパネルが検出する検出ステップと、
前記タッチパネルが検出した操作に応じて、当該操作に対応し前記所定通信方式に準拠した操作情報を生成する生成ステップと、
前記操作情報を前記所定通信方式で前記携帯端末に送信する通信ステップと、を含み、
前記生成ステップは、前記タッチパネルにて検出されたタッチ操作に応じて、前記タッチパネル上での前記タッチ操作の位置を前記携帯端末の表示画面上の操作位置に変換し、前記携帯端末の表示画面上に設定された基準位置から当該携帯端末の表示画面上の操作位置への移動量を前記操作情報として生成し、前記タッチパネル上での前記タッチ操作の終了位置に応じて、前記基準位置を変更する、携帯端末制御方法。
【請求項８】
所定通信方式に対応する携帯端末と通信するコンピュータに、
前記車載機への操作としてタッチ操作をタッチパネルが検出する検出手順と、
前記タッチパネルが検出した操作に応じて、当該操作に対応し前記所定通信方式に準拠した操作情報を生成する生成手順と、
前記操作情報を前記所定通信方式で前記携帯端末に送信する通信手順と、を実行させ、
前記生成手順は、前記タッチパネルにて検出されたタッチ操作に応じて、前記タッチパネル上での前記タッチ操作の位置を前記携帯端末の表示画面上の操作位置に変換し、前記携帯端末の表示画面上に設定された基準位置から当該携帯端末の表示画面上の操作位置への移動量を前記操作情報として生成し、前記タッチパネル上での前記タッチ操作の終了位置に応じて、前記基準位置を変更する、プログラム。
【手続補正２】
【補正対象書類名】明細書
【補正対象項目名】００１２
【補正方法】変更
【補正の内容】
【００１２】
本発明の車載機は、
所定通信方式に対応する携帯端末と通信する車載機であって、
前記車載機への操作としてタッチ操作を検出するタッチパネルと、
前記タッチパネルが検出した車載機への操作に応じて、当該操作に対応し前記所定通信方式に準拠した操作情報を生成する生成手段と、
前記操作情報を前記所定通信方式で前記携帯端末に送信する通信手段と、
を含み、
前記生成手段は、前記タッチパネルにて検出されたタッチ操作に応じて、前記タッチパネル上での前記タッチ操作の位置を前記携帯端末の表示画面上の操作位置に変換し、前記携帯端末の表示画面上に設定された基準位置から当該携帯端末の表示画面上の操作位置への移動量を前記操作情報として生成し、前記タッチパネル上での前記タッチ操作の終了位置に応じて、前記基準位置を変更する。
【手続補正３】
【補正対象書類名】明細書
【補正対象項目名】００１３
【補正方法】変更
【補正の内容】
【００１３】
本発明の携帯端末制御方法は、
所定通信方式に対応する携帯端末と通信する車載機が行う携帯端末制御方法であって、
前記車載機への操作としてタッチ操作をタッチパネルが検出する検出ステップと、
前記タッチパネルが検出した操作に応じて、当該操作に対応し前記所定通信方式に準拠した操作情報を生成する生成ステップと、
前記操作情報を前記所定通信方式で前記携帯端末に送信する通信ステップと、を含み、
前記生成ステップは、前記タッチパネルにて検出されたタッチ操作に応じて、前記タッチパネル上での前記タッチ操作の位置を前記携帯端末の表示画面上の操作位置に変換し、前記携帯端末の表示画面上に設定された基準位置から当該携帯端末の表示画面上の操作位置への移動量を前記操作情報として生成し、前記タッチパネル上での前記タッチ操作の終了位置に応じて、前記基準位置を変更する。
【手続補正４】
【補正対象書類名】明細書
【補正対象項目名】００１４
【補正方法】変更
【補正の内容】
【００１４】
本発明のプログラムは、
所定通信方式に対応する携帯端末と通信するコンピュータに、
前記車載機への操作としてタッチ操作をタッチパネルが検出する検出手順と、
前記タッチパネルが検出した操作に応じて、当該操作に対応し前記所定通信方式に準拠した操作情報を生成する生成手順と、
前記操作情報を前記所定通信方式で前記携帯端末に送信する通信手順と、を実行させ、
前記生成手順は、前記タッチパネルにて検出されたタッチ操作に応じて、前記タッチパネル上での前記タッチ操作の位置を前記携帯端末の表示画面上の操作位置に変換し、前記携帯端末の表示画面上に設定された基準位置から当該携帯端末の表示画面上の操作位置への移動量を前記操作情報として生成し、前記タッチパネル上での前記タッチ操作の終了位置に応じて、前記基準位置を変更する。
【国際調査報告】
2014034193.tif 000025
2014034193.tif 000026
2014034193.tif 000027
2014034193.tif 000028